(57)【特許請求の範囲】
【請求項１】
リアルタイムに入力される字幕信号を、コマーシャルの映像上にスーパーさせないように、字幕信号を制御する字幕信号制御システムであって、
放送されるコンテンツの放送時間を管理し、コマーシャルの放送開始時間の所定時間前に制御信号をＯＮにし、前記コマーシャルの放送終了時間になると前記制御信号をＯＦＦにする放送管理手段と、
前記制御信号がＯＦＦの場合には入力された字幕信号を出力し、前記制御信号がＯＮの場合には入力された字幕信号を出力せず、スーパーされる字幕を受信機に消去させる字幕消去信号を出力する字幕信号出力手段と
を有することを特徴とする字幕信号制御システム。
【請求項２】
字幕信号出力手段は、
制御信号がＯＮ時に入力された字幕信号を蓄積する蓄積手段と、
前記制御信号がＯＦＦになると、前記蓄積手段に蓄積されている字幕信号を出力する手段と
を更に有することを特徴とする請求項１に記載の字幕信号制御システム。
【請求項３】
所定の字幕のデータが複数のパケットで構成されている場合において、
現在入力されている字幕のパケットを監視する監視手段と、
前記監視手段の監視結果に基づき、前記所定の字幕のデータが前記字幕信号出力手段から出力中に前記制御信号がＯＮに切り替わった場合、前記所定の字幕を構成する全てのパケットの字幕のデータが出力されるまで、前記字幕消去信号を出力しない調整手段と
を更に有することを特徴とする請求項１又は請求項２に記載の字幕信号制御システム。
【請求項４】
前記監視手段の監視結果に基づき、前記制御信号がＯＮ時から入力された字幕のデータを構成するパケットを全て破棄する手段を有することを特徴とする請求項３に記載の字幕信号制御システム。
【請求項５】
リアルタイムに入力される字幕信号を、コマーシャルの映像上にスーパーさせないように、字幕信号を制御する字幕信号制御システムであって、前記字幕信号制御システムを、
放送されるコンテンツの放送時間を管理し、コマーシャルの放送開始時間の所定時間前に制御信号をＯＮにし、前記コマーシャルの放送終了時間になると前記制御信号をＯＦＦにする放送管理手段と、
前記制御信号がＯＦＦの場合には入力された字幕信号を出力し、前記制御信号がＯＮの場合には入力された字幕信号を出力せず、スーパーされる字幕を受信機に消去させる字幕消去信号を出力する字幕信号出力手段と
して機能させることを特徴とするプログラム。
【請求項６】
字幕信号出力手段を、
制御信号がＯＮ時に入力された字幕信号を蓄積する蓄積手段と、
前記制御信号がＯＦＦになると、前記蓄積手段に蓄積されている字幕信号を出力する手段として
更に機能させることを特徴とする請求項５に記載のプログラム。
【請求項７】
所定の字幕のデータが複数のパケットで構成されている場合において、
前記字幕信号制御システムを、
現在入力されている字幕のパケットを監視する監視手段と、
前記監視手段の監視結果に基づき、前記所定の字幕のデータが前記字幕信号出力手段から出力中に前記制御信号がＯＮに切り替わった場合、前記所定の字幕を構成する全てのパケットの字幕のデータが出力されるまで、前記字幕消去信号を出力しない調整手段と
して更に機能させることを特徴とする請求項５又は請求項６に記載のプログラム。
【請求項８】
前記字幕信号制御システムを、前記監視結果に基づき、前記制御信号がＯＮ時から入力された字幕のデータを構成するパケットを全て破棄する手段として機能させることを特徴とする請求項７に記載のプログラム。
【請求項９】
リアルタイムに入力される字幕信号を、コマーシャルの映像上にスーパーさせないように、字幕信号を制御する字幕信号制御方法であって、
コマーシャルの放送開始時間を監視するステップと、
現在時刻が前記コマーシャルの放送開始時間の所定時間前になった場合、入力される字幕信号の出力を中止し、スーパーされる字幕を受信機に消去させる字幕消去信号を出力するステップと、
現在時刻が前記コマーシャルの放送終了時間になった場合、入力される字幕信号の出力を開始するステップと
を有することを特徴とする字幕信号制御方法。
【請求項１０】
入力される字幕信号の出力が中止されている間、入力された字幕信号を蓄積するステップと、
入力される字幕信号の出力が開始されると、蓄積されていた字幕信号を出力するステップと
を更に有することを特徴とする請求項９に記載の字幕信号制御方法。
【請求項１１】
所定の字幕のデータが複数のパケットで構成されている場合において、
現在入力されている字幕のパケットを監視するステップを有し、
前記字幕消去信号を出力するステップは、前記監視の結果に基づき、前記コマーシャルの放送開始時間の所定時間前に入力された前記所定の字幕を構成する全てのパケットの字幕のデータを出力した後、スーパーされる字幕を受信機に消去させる字幕消去信号を出力する
ことを特徴とする請求項９又は請求項１０に記載の字幕信号制御方法。
【請求項１２】
前記監視結果に基づき、コマーシャルの放送時間中に入力された字幕のデータを構成するパケットを全て破棄するステップを有することを特徴とする請求項１１に記載の字幕信号制御方法。
【請求項１３】
リアルタイムに入力される字幕信号を、コマーシャルの映像上にスーパーさせないように、字幕信号を制御する字幕信号制御システムであって、
放送されるコマーシャルの放送時間を監視し、現在時刻が、コマーシャルの放送開始時間の所定時間前になった場合、入力された字幕信号を出力せず、スーパーされる字幕を受信機に消去させる字幕消去信号を出力し、現在時刻が、コマーシャルの放送終了時間になった場合、入力された字幕信号を出力する手段を有することを特徴とする字幕信号制御システム。
【請求項１４】
字幕信号が出力されない間に入力されてくる字幕信号を蓄積する蓄積手段と、
入力された字幕信号の出力が開始されると、前記蓄積手段に蓄積されている字幕信号を出力する手段と
を更に有することを特徴とする請求項１３に記載の字幕信号制御システム。
【請求項１５】
所定の字幕のデータが複数のパケットで構成されている場合において、
現在入力されている字幕のパケットを監視する監視手段と、
前記監視手段の監視結果に基づき、前記コマーシャルの放送開始時間の所定時間前に入力された前記所定の字幕を構成する全てのパケットの字幕のデータを出力した後、スーパーされる字幕を受信機に消去させる字幕消去信号を出力する調整手段と
を更に有することを特徴とする請求項１３又は請求項１４に記載の字幕信号制御システム。
【請求項１６】
前記監視手段の監視結果に基づき、コマーシャルの放送時間中に入力された字幕のデータを構成するパケットを全て破棄する手段を有することを特徴とする請求項１５に記載の字幕信号制御システム。
【請求項１７】
リアルタイムに入力される字幕信号を、コマーシャルの映像上にスーパーさせないように、字幕信号を制御する字幕信号制御システムであって、前記字幕信号制御システムを、
放送されるコンテンツの放送時間を監視し、現在時刻が、コマーシャルの放送開始時間の所定時間前になった場合、入力された字幕信号を出力せず、スーパーされる字幕を受信機に消去させる字幕消去信号を出力し、現在時刻が、コマーシャルの放送終了時間になった場合、入力された字幕信号を出力する手段として機能させることを特徴とするプログラム。
【請求項１８】
字幕信号制御システムを、
字幕信号が出力されない間に入力されてくる字幕信号を蓄積する蓄積手段と、
入力された字幕信号の出力が開始されると、前記蓄積手段に蓄積されている字幕信号を出力する手段と
して更に機能させることを特徴とする請求項１７に記載のプログラム。
【請求項１９】
所定の字幕のデータが複数のパケットで構成されている場合において、
前記字幕信号制御システムを、
現在入力されている字幕のパケットを監視する監視手段と、
前記監視手段の監視結果に基づき、前記コマーシャルの放送開始時間の所定時間前に入力された前記所定の字幕を構成する全てのパケットの字幕のデータを出力した後、スーパーされる字幕を受信機に消去させる字幕消去信号を出力する調整する調整手段と
して更に機能させることを特徴とする請求項１７又は請求項１８に記載のプログラム。
【請求項２０】
前記字幕信号制御システムを、前記監視結果に基づき、コマーシャルの放送時間中に入力された字幕のデータを構成するパケットを全て破棄する手段として機能させることを特徴とする請求項１９に記載のプログラム。
【発明の詳細な説明】
【０００１】
【発明が属する技術分野】
本発明は字幕信号を制御する字幕信号の制御技術に関し、特に、映像上に字幕をスーパーさせたくないコンテンツ、例えばコマーシャル等の映像上に字幕がスーパーされないように字幕信号を制御する字幕制御の技術に関する。
【０００２】
【従来の技術】
従来から行われている字幕放送は、文字や字幕のデータをパケット化し、映像の垂直ブランキングエリアに重畳して送出している。そして、受信機側に設けられた専用のアダプターにより、重畳されている字幕データを抽出して、映像上にスーパーしている。
【０００３】
このように、字幕のスーパーが受信機側で行われる為、字幕放送の字幕データの制作は、放送されるビデオテープを元に、放送前に予め字幕データの送出タイミングを決定しており、特に、コマーシャルのように、字幕が映像上にスーパーされると、営業的に問題の生じるコンテンツ（番組）については、コンテンツに字幕がスーパーされないよう、予め字幕データの送出タイミングを決定しておき、受信機側でコマーシャルの映像上にスーパーが行われないようにしていた。
【０００４】
しかし、生番組のように予め字幕データの送出タイミングを決定することが出来ない番組であっても、字幕放送を行って欲しいという要望は近年強くなっている。
【０００５】
一方、近年、パソコン等を利用する速記技術や、音声認識が進歩し、リアルタイムで、音声のリアルタイム字幕化が可能となってきた。
【０００６】
【発明が解決しようとする課題】
しかしながら、リアルタイムで字幕化された字幕放送の場合、コマーシャル等のタイミングが予め判っているわけではないので、字幕信号の送出タイミングを予め決定することができず、コマーシャル等に字幕がスーパーされる恐れがでてきた。
【０００７】
そこで、本発明は上記問題点に鑑みて発明されたものであって、映像上に字幕をスーパーさせたくないコンテンツ、例えばコマーシャル等の映像上に字幕がスーパーされないように字幕信号を制御する字幕信号システム、そのプログラム及びその制御方法を提供することにある。
【０００８】
【課題を解決するための手段】
上記本発明の目的を達成する発明は、リアルタイムに入力される字幕信号を、コマーシャルの映像上にスーパーさせないように、字幕信号を制御する字幕信号制御システムであって、放送されるコンテンツの放送時間を管理し、コマーシャルの放送開始時間の所定時間前に制御信号をＯＮにし、前記コマーシャルの放送終了時間になると前記制御信号をＯＦＦにする放送管理手段と、前記制御信号がＯＦＦの場合には入力された字幕信号を出力し、前記制御信号がＯＮの場合には入力された字幕信号を出力せず、スーパーされる字幕を受信機に消去させる字幕消去信号を出力する字幕信号出力手段とを有することを特徴とする。
【００１０】
また、上記字幕信号出力手段は、制御信号がＯＮ時に入力された字幕信号を蓄積する蓄積手段と、前記制御信号がＯＦＦになると、前記蓄積手段に蓄積されている字幕信号を出力する手段とを更に有することにより、コマーシャル等が放送されている間に入力された字幕信号を蓄積することができ、コマーシャル等の終了後、欠落した字幕信号を送出することができる。
【００１１】
更に、所定の字幕のデータが複数のパケットで構成されている場合において、現在入力されている字幕のパケットを監視する監視手段と、前記監視手段の監視結果に基づき、前記所定の字幕のデータが前記字幕信号出力手段から出力中に前記制御信号がＯＮに切り替わった場合、前記所定の字幕を構成する全てのパケットの字幕のデータが出力されるまで、前記字幕消去信号を出力しない調整手段と更に有すれば、１群の字幕信号の欠落を防ぐことが出来る。
【００１２】
また、前記監視手段の監視結果に基づき、前記制御信号がＯＮ時から入力された字幕のデータを構成するパケットを全て破棄する手段を有すれば、コンテンツの放送時間中に入力されたグループの字幕信号が欠落した状態で残りの字幕信号が送信されることはなくなるので、コンテンツの放送時間中に入力されたグループの次のグループの字幕信号に影響を与えることがなくなる。
【００１３】
上記本発明の目的を達成する発明は、リアルタイムに入力される字幕信号を、コマーシャルの映像上にスーパーさせないように、字幕信号を制御する字幕信号制御システムであって、前記字幕信号制御システムを、放送されるコンテンツの放送時間を管理し、コマーシャルの放送開始時間の所定時間前に制御信号をＯＮにし、前記コマーシャルの放送終了時間になると前記制御信号をＯＦＦにする放送管理手段と、前記制御信号がＯＦＦの場合には入力された字幕信号を出力し、前記制御信号がＯＮの場合には入力された字幕信号を出力せず、スーパーされる字幕を受信機に消去させる字幕消去信号を出力する字幕信号出力手段として機能させることを特徴とするプログラムである。
【００１５】
また、上記プログラムが、上記字幕信号出力手段を、制御信号がＯＮ時に入力された字幕信号を蓄積する蓄積手段と、前記制御信号がＯＦＦになると、前記蓄積手段に蓄積されている字幕信号を出力する手段として更に機能させれば、コマーシャル等が放送されている間に入力された字幕信号を蓄積することができ、コマーシャル等の終了後、欠落した字幕信号を送出することができる。
【００１６】
更に、上記プログラムは、所定の字幕のデータが複数のパケットで構成されている場合において、前記字幕信号制御システムを、現在入力されている字幕のパケットを監視する監視手段と、前記監視手段の監視結果に基づき、前記所定の字幕のデータが前記字幕信号出力手段から出力中に前記制御信号がＯＮに切り替わった場合、前記所定の字幕を構成する全てのパケットの字幕のデータが出力されるまで、前記字幕消去信号を出力しない調整手段として更に機能させれば、１群の字幕信号の欠落を防ぐことが出来る。
【００１７】
また、上記プログラムが、前記字幕信号制御システムを、前記監視結果に基づき、前記制御信号がＯＮ時から入力された字幕のデータを構成するパケットを全て破棄する手段として機能させれば、コンテンツの放送時間中に入力されたグループの字幕信号が欠落した状態で残りの字幕信号が送信されることはなくなるので、コンテンツの放送時間中に入力されたグループの次のグループの字幕信号に影響を与えることがなくなる。
【００１８】
上記本発明の目的を達成する発明は、リアルタイムに入力される字幕信号を、コマーシャルの映像上にスーパーさせないように、字幕信号を制御する字幕信号制御方法であって、コマーシャルの放送開始時間を監視するステップと、現在時刻が前記コマーシャルの放送開始時間の所定時間前になった場合、入力される字幕信号の出力を中止し、スーパーされる字幕を受信機に消去させる字幕消去信号を出力するステップと、現在時刻が前記コマーシャルの放送終了時間になった場合、入力される字幕信号の出力を開始するステップとを有することを特徴とする。
【００２０】
また、上記発明が、入力される字幕信号の出力が中止されている間、入力された字幕信号を蓄積するステップと、入力される字幕信号の出力が開始されると、蓄積されていた字幕信号を出力するステップとを更に有すれば、コマーシャル等が放送されている間に入力された字幕信号を蓄積することができ、コマーシャル等の終了後、欠落した字幕信号を送出することができる。
【００２１】
また、上記発明は、所定の字幕のデータが複数のパケットで構成されている場合において、現在入力されている字幕のパケットを監視するステップを有し、前記字幕消去信号を出力するステップは、前記監視の結果に基づき、前記コマーシャルの放送開始時間の所定時間前に入力された前記所定の字幕を構成する全てのパケットの字幕のデータを出力した後、スーパーされる字幕を受信機に消去させる字幕消去信号を出力するようにすれば、１群の字幕信号の欠落を防ぐことが出来る。
【００２２】
また、上記発明が、前記監視結果に基づき、コマーシャルの放送時間中に入力された字幕のデータを構成するパケットを全て破棄するステップを有すれば、コンテンツの放送時間中に入力されたグループの字幕信号が欠落した状態で残りの字幕信号が送信されることはなくなるので、コンテンツの放送時間中に入力されたグループの次のグループの字幕信号に影響を与えることがなくなる。
【００２３】
上記目的を達成する本発明は、リアルタイムに入力される字幕信号を、コマーシャルの映像上にスーパーさせないように、字幕信号を制御する字幕信号制御システムであって、放送されるコマーシャルの放送時間を監視し、現在時刻が、コマーシャルの放送開始時間の所定時間前になった場合、入力された字幕信号を出力せず、スーパーされる字幕を受信機に消去させる字幕消去信号を出力し、現在時刻が、コマーシャルの放送終了時間になった場合、入力された字幕信号を出力する手段を有することを特徴とする。
【００２５】
また、上記字幕信号制御システムは、字幕信号が出力されない間に入力されてくる字幕信号を蓄積する蓄積手段と、入力された字幕信号の出力が開始されると、前記蓄積手段に蓄積されている字幕信号を出力する手段とを更に有すれば、コマーシャル等が放送されている間に入力された字幕信号を蓄積することができ、コマーシャル等の終了後、欠落した字幕信号を送出することができる。
【００２６】
更に、所定の字幕のデータが複数のパケットで構成されている場合において、現在入力されている字幕のパケットを監視する監視手段と、前記監視手段の監視結果に基づき、前記コマーシャルの放送開始時間の所定時間前に入力された前記所定の字幕を構成する全てのパケットの字幕のデータを出力した後、スーパーされる字幕を受信機に消去させる字幕消去信号を出力する調整手段とを更に有すれば、１群の字幕信号の欠落を防ぐことが出来る。
【００２７】
また、前記監視手段の監視結果に基づき、コマーシャルの放送時間中に入力された字幕のデータを構成するパケットを全て破棄する手段を有すれば、コンテンツの放送時間中に入力されたグループの字幕信号が欠落した状態で残りの字幕信号が送信されることはなくなるので、コンテンツの放送時間中に入力されたグループの次のグループの字幕信号に影響を与えることがなくなる。
【００２８】
上記目的を達成する本発明は、リアルタイムに入力される字幕信号を、コマーシャルの映像上にスーパーさせないように、字幕信号を制御する字幕信号制御システムであって、前記字幕信号制御システムを、放送されるコンテンツの放送時間を監視し、現在時刻が、コマーシャルの放送開始時間の所定時間前になった場合、入力された字幕信号を出力せず、スーパーされる字幕を受信機に消去させる字幕消去信号を出力し、現在時刻が、コマーシャルの放送終了時間になった場合、入力された字幕信号を出力する手段として機能させることを特徴とするプログラムである。
【００３０】
また、上記プログラムが、字幕信号が出力されない間に入力されてくる字幕信号を蓄積する蓄積手段と、入力された字幕信号の出力が開始されると、前記蓄積手段に蓄積されている字幕信号を出力する手段として更に機能させる機能を有すれば、コマーシャル等が放送されている間に入力された字幕信号を蓄積することができ、コマーシャル等の終了後、欠落した字幕信号を送出することができる。
【００３１】
更に、上記プログラムは、所定の字幕のデータが複数のパケットで構成されている場合において、前記字幕信号制御システムを、現在入力されている字幕のパケットを監視する監視手段と、前記監視手段の監視結果に基づき、前記コマーシャルの放送開始時間の所定時間前に入力された前記所定の字幕を構成する全てのパケットの字幕のデータを出力した後、スーパーされる字幕を受信機に消去させる字幕消去信号を出力する調整する調整手段として更に機能させれば、１群の字幕信号の欠落を防ぐことが出来る。
【００３２】
また、上記プログラムが、前記字幕信号制御システムを、前記監視結果に基づき、コマーシャルの放送時間中に入力された字幕のデータを構成するパケットを全て破棄する手段として機能させれば、コンテンツの放送時間中に入力されたグループの字幕信号が欠落した状態で残りの字幕信号が送信されることはなくなるので、コンテンツの放送時間中に入力されたグループの次のグループの字幕信号に影響を与えることがなくなる。
【００３３】
【発明の実施の形態】
本発明の実施の形態を説明する。
【００３４】
図１は本発明にかかる実施の形態のブロック図である。
【００３５】
図１中、１はＡＰＳ（自動番組運行装置）であり、２は字幕信号制御部である。
【００３６】
まず、ＡＰＳ１について説明する。
【００３７】
ＡＰＳ１は、放送番組データベース１１と、タイマー１２と、タイミング信号制御部１３とを有する。
【００３８】
放送番組データベース１１は、図２に示される如く、放送される番組（コマーシャルも含む）毎にその開始時間及び終了時間が記憶されたデータベースである。例えば、図２では、番組Ａ１の放送開始時間が“１０時００分００秒”、番組Ａ１の放送終了時間が“１０時１５分００秒”であり、ＣＭ１の放送開始時間が“１０時１５分００秒”、ＣＭ１の放送終了時間が“１０時１６分００秒”であることを示している。また、字幕を映像上にスーパーしたくない番組（コンテンツ）、例えばコマーシャルには、これを識別する為のフラグが付されている。
【００３９】
タイマー１２は現在時刻を計時するタイマーであり、特に放送番組データベース１１に格納されている番組のうち、フラグがつけられた番組の放送開始時刻の所定時間前にセット信号を出力すると共に、その番組の放送終了時間になるとセット解除信号を出力する。例えば、図２に示される例で具体的に説明すると、ＣＭ１にフラグが付されており、ＣＭ１は字幕を映像上にスーパーしたくない番組（コンテンツ）である。また、セット信号の出力タイミングをＣＭ１の放送開始時間の１秒前とすると、ＣＭ１の放送開始前である“１０時１４分５９秒”にセット信号が出力される。また、セット解除信号は、ＣＭ１の放送終了時間である“１０時１６分００秒”に出力される。
【００４０】
タイミング信号制御部１３は、字幕制御部２に入力されるタイミング信号のレベルを、“Ｈ（ＯＮ）”、“Ｌ（ＯＦＦ）”にするものである。そして、タイマー１２からのセット信号を受信すると、タイミング信号のレベルを“Ｈ（ＯＮ）”にし、タイマー１２からのセット解除信号を受信すると、タイミング信号のレベルを“Ｌ（ＯＦＦ）”にする。すなわち、図３に示されるようなタイミングで、タイミング信号は、“Ｈ（ＯＮ）”又は“Ｌ（ＯＦＦ）”となる。
【００４１】
続いて、字幕信号制御部２について説明する。
【００４２】
字幕制御部２にはリアルタイムで作成された字幕信号が入力される。入力される字幕信号は、例えば、生番組において、話者が話した声を、パソコン等で速記して文字データに変換された信号である。
【００４３】
また、字幕制御部２は、消去信号及び穴埋め信号が格納された記憶装置２１と、タイミング信号制御部１３からのタイミング信号の“Ｈ（ＯＮ）”又は“Ｌ（ＯＦＦ）”により、信号を選択するスイッチ２２とを有している。
【００４４】
記憶装置２１に格納されている消去信号は、現在スーパーされている字幕を消去する信号であり、何通りかの方法があるが、一例としては、スペース１文字のみの字幕信号である。この消去信号は、現在字幕放送に使用されている信号なので、詳細な説明は省略する。また、穴埋め信号は、文字データである字幕信号の代わりに送出される信号であって、内容がオール０の内容のないパケット等である。
【００４５】
スイッチ２２は、タイミング信号が“Ｌ（ＯＦＦ）”の場合には、入力される字幕信号を選択し、字幕信号をそのまま出力させる。一方、タイミング信号が“Ｈ（ＯＮ）”の場合には、字幕信号を選択せずに、記憶装置２１に格納されている消去信号、穴埋め信号を選択し、字幕信号の代わりに消去信号、穴埋め信号を出力する。
【００４６】
次に、以上のような構成における動作を説明する。
【００４７】
まず、タイミング信号の“Ｈ（ＯＮ）”又は“Ｌ（ＯＦＦ）”の動作について説明する。
【００４８】
図４はタイミング信号の“Ｈ（ＯＮ）”又は“Ｌ（ＯＦＦ）”の動作フローチャートである。
【００４９】
まず、タイマー１２は現在時刻をチェックし（Ｓｔｅｐ  １００）、現在時刻がフラグの付されている番組（コマーシャル）の放送開始時間の所定の時間前（例えば、１秒前）であるかをチェックする（Ｓｔｅｐ  １０１）。該当する番組（コマーシャル）がある場合には（Ｓｔｅｐ  １０２）、セット信号を出力する。
【００５０】
セット信号を受信したタイミング信号制御部１３では、タイミング信号を“Ｈ（ＯＮ）”にする（Ｓｔｅｐ  １０３）。
【００５１】
続いて、タイマー１２は現在時刻をチェックし（Ｓｔｅｐ  １０４）、現在時刻がフラグの付されている番組（コマーシャル）の放送終了時間であるかをチェックする（Ｓｔｅｐ  １０５）。該当する番組（コマーシャル）がある場合には（Ｓｔｅｐ  １０６）、セット解除信号を出力する。
【００５２】
セット解除信号を受信したタイミング信号制御部１３では、タイミング信号を“Ｌ（ＯＦＦ）”にする（Ｓｔｅｐ  １０７）。
【００５３】
続いて、字幕信号の入出力制御の動作について説明する。
【００５４】
図５は字幕信号の入出力制御の動作のフローチャートである。
【００５５】
まず、スイッチ２２がタイミング信号の“Ｈ（ＯＮ）”、“Ｌ（ＯＦＦ）”をチェックする（Ｓｔｅｐ  ２００）。
【００５６】
タイミング信号が“Ｌ（ＯＦＦ）”である場合には（Ｓｔｅｐ  ２０１）、入力される字幕信号を選択し、そのまま字幕信号を出力する。
【００５７】
一方、タイミング信号が“Ｈ（ＯＮ）”である場合には（Ｓｔｅｐ  ２０１）、記憶装置２１に格納されている消去信号、穴埋め信号を選択し、字幕信号の代わりに消去信号、穴埋め信号を出力する（Ｓｔｅｐ  ２０２）。
【００５８】
以上の動作のタイミングチャートを図６に示す。図６から判るように、実際のコマーシャルが開始される前に字幕信号の送出を中止し、消去信号を送出するようにしているので、受信機側で字幕信号をエンコードして映像上に字幕をスーパーするタイムラグを考慮しても、コマーシャルに字幕がスーパーされることはない。
【００５９】
本発明の他の実施の形態を説明する。
【００６０】
他の実施の形態は、コマーシャル等の放送中に入力されてくる字幕信号を、コマーシャル等の放送終了後直ぐに送出させたい場合に適用される。すなわち、他の実施の形態は、タイミング信号が“Ｈ（ＯＮ）”時に、入力されてくる字幕信号を一旦蓄積しておき、タイミング信号が“Ｌ（ＯＦＦ）”になると、蓄積されている字幕信号の出力を開始することを特徴とする。
【００６１】
そこで、図７に示される如く、上述した実施の形態に加え、入力された字幕信号を蓄積するバッファ７１を設ける。このバッファ７１は、タイミング信号が“Ｌ（ＯＦＦ）”の場合には、字幕信号を蓄積することなくそのまま出力する。一方、タイミング信号が“Ｈ（ＯＮ）”の場合には入力される字幕信号を蓄積し、タイミング信号が“Ｌ（ＯＦＦ）”になると、最初に蓄積されている字幕信号を出力した後、新たに入力されてくる字幕信号を出力する。
【００６２】
このように構成することにより、コマーシャル等の放送中に入力されてくる字幕信号であっても、コマーシャル等の放送終了後直ぐに送出させることができる。
【００６３】
更に、他の実施の形態を説明する。
【００６４】
上述した実施の形態では、タイミング信号の“Ｈ（ＯＮ）”又は“Ｌ（ＯＦＦ）”を基準にして、入力される字幕信号の出力を制御した。
【００６５】
ところで、例えば字幕信号がパケットである場合、１ページ（例えば２行）の字幕を表現するパケットは、通常、３〜５パケットで構成され、これをデータグループと呼んでいる。そして、受信器側で、このデータグループの全てのパケットを結合することで字幕データが再構成される。
【００６６】
しかしながら、上述した実施の形態の如く、タイミング信号の“Ｈ（ＯＮ）”又は“Ｌ（ＯＦＦ）”を基準にして、単に入力される字幕信号の出力を制御するだけでは、データグループの中にはデータグループヘッダーやＣＲＣ等の構造があるため、データグループのパケットの送信を途中で中断すると、その前後で辻褄が合わなくなるため、字幕のスーパーが行われなくなる恐れがある。
【００６７】
そこで、本実施の形態では、データグループ（字幕信号）送出中にタイミング信号の“Ｈ（ＯＮ）”となった場合、データグループの全てのパケットが送出された後、データグループ（字幕信号）の送出を中止することを特徴とする。さらに、タイミング信号の“Ｈ（ＯＮ）”時に始まったデータグループは、タイミング信号が“Ｌ（ＯＦＦ）”時になっても、そのデータグループ全体を破棄し、次のデータグループから送出を開始することを特徴とする。
【００６８】
そこで、上記特徴を実現する為、図８に示される如く、上述した図１の実施の形態に加え、データグループ監視部８０と切替制御部８１とを設ける。
【００６９】
データグループ監視部８０は、各パケットのデータグループヘッダーにより、現在入力されているデータグループを監視し、グループが変更されると、監視信号を“Ｈ（ＯＮ）”又は“Ｌ（ＯＦＦ）”にする。具体的に説明すると、図９に示されるように、データグループ１のパケットが入力されている間は監視信号を“Ｈ（ＯＮ）”とし、入力されるパケットのデータグループが変わって、データグループ２のパケットが入力されている間は監視信号を“Ｌ（ＯＦＦ）”とし、更に入力されるパケットのデータグループが変わって、データグループ３のパケットが入力されている間は監視信号を“Ｈ（ＯＮ）”とする。
【００７０】
切替制御部８１は、タイミング信号制御部１３からのタイミング信号と、データグループ監視部８０からの監視信号とを入力とする。そして、タイミング信号が“Ｈ（ＯＮ）”となると、監視信号の立ち下がり又は立ち上がりのタイミングで、切替え信号を“Ｈ（ＯＮ）”とする。一方、切替制御部８１は、タイミング信号が“Ｌ（ＯＦＦ）”となると、監視信号の立ち下がり又は立ち上がりのタイミングで、切替え信号を“Ｌ（ＯＦＦ）”とする。
【００７１】
尚、スイッチ２２は、タイミング信号の代わりに切替信号の“Ｈ（ＯＮ）”又は“Ｌ（ＯＦＦ）”で上述した実施の形態と同様に信号を切替える。
【００７２】
続いて、詳細な動作を図９を用いて説明する。
【００７３】
まず、字幕信号制御部２にはデータグループ１のパケットが入力されている。この状態で、監視信号は“Ｈ（ＯＮ）”である。
【００７４】
ここで、タイミング信号が“Ｈ（ＯＮ）”（コマーシャルの放送開始）となったとする。しかし、このタイミングでは、データグループ１のパケットが入力されており、監視信号は“Ｈ（ＯＮ）”である。従って、切替制御部８１は、このタイミングでは切替信号を“Ｈ（ＯＮ）”としない。続いて、データグループ１のパケットの入力が終了し、監視信号が“Ｌ（ＯＦＦ）”となると（立下り時）、切替信号を“Ｈ（ＯＮ）”とする。
【００７５】
スイッチ２２は、切替信号が“Ｈ（ＯＮ）”となると、パケット（字幕信号）を選択せずに、記憶装置２１に格納されている消去信号、穴埋め信号を選択し、パケット（字幕信号）の代わりに消去信号、穴埋め信号を出力する。
【００７６】
時間が経過し、タイミング信号が“Ｌ（ＯＦＦ）”となると、切替制御部８１は監視信号の状態をチェックする。しかし、この状態ではデータグループ２のパケットが入力されており、監視信号は“Ｌ（ＯＦＦ）”である。従って、切替制御部８１は、このタイミングでは切替信号を“Ｌ（ＯＦＦ）”としない。続いて、データグループ２のパケットの入力が終了し、監視信号が“Ｈ（ＯＮ）”となると（立上がり時）、切替信号を“Ｈ（ＯＮ）”とする。
【００７７】
スイッチ２２は、タイミング信号が“Ｌ（ＯＦＦ）”になると、入力されているパケット（字幕信号）、すなわちデータグループ３のパケットを選択して出力する。
【００７８】
尚、上述の実施の形態においては、タイミング信号、監視信号及び切替信号のオン、オフで字幕信号の出力を制御したが、例えばセット信号及びセット解除信号等をこれらの信号の代わりに用いても良い。
【００７９】
また、字幕信号についても、何種類かの形態が考えられるが、最も物理媒体に近い形態、例えば映像信号に重畳された文字放送形式信号でも、物理層に重畳する前の文字放送パケットデータのどちらでも実現可能である。
更に、上述した実施の形態では、現在の地上波アナログ放送を例にして説明したが、これに限るものではなく、例えば、地上波デジタル放送や、ＢＳデジタル放送、ケーブルテレビ等に適用することも可能である。
【００８０】
【発明の効果】
本発明によれば、映像上にスーパーしたくないコンテンツの放送が開始される前に字幕信号の送出を中止し、消去信号を送出するようにしているので、受信機側で字幕信号をエンコードして映像上に字幕をスーパーするタイムラグを考慮しても、コンテンツに字幕がスーパーされることはない。
【図面の簡単な説明】
【図１】図１は本発明の実施の形態のブロック図である。
【図２】図２は放送番組データベース１１の一例を示す図である。
【図３】図３はタイミング信号のタイミングを示す図である。
【図４】図４はタイミング信号の“Ｈ（ＯＮ）”又は“Ｌ（ＯＦＦ）”の動作フローチャートである。
【図５】図５は字幕信号の入出力制御の動作のフローチャートである。
【図６】図６は字幕信号制御部の入出力のタイミングチャートである。
【図７】図７は本発明の他の実施の形態のブロック図である。
【図８】図８は本発明の他の実施の形態のブロック図である。
【図９】図９は字幕信号制御部の入出力のタイミングチャートである。
【符号の説明】
１          ＡＰＳ（自動番組運行装置）
２          字幕信号制御部
１１        放送番組データベース
１２        タイマー
１３        タイミング信号制御部
２１        記憶装置
２２        スイッチ
７１        バッファ
８０        データグループ監視部
８１        切替制御部
【図１】
0004747310.tif 000002
【図２】
0004747310.tif 000003
【図３】
0004747310.tif 000004
【図４】
0004747310.tif 000005
【図５】
0004747310.tif 000006
【図６】
0004747310.tif 000007
【図７】
0004747310.tif 000008
【図８】
0004747310.tif 000009
【図９】
0004747310.tif 000010